(57)【特許請求の範囲】
【請求項１】
開閉自在の蓋を有する横長長方形状の外箱と、
前記外箱に出し入れ自在に収納された義歯収納用横長長方形状の内箱と、
前記内箱の上部に形成され、前記外箱の上部開口縁に載置された載置部と、
前記内箱の底板に形成された複数個の透孔と、
前記内箱の外底面に形成され、前記外箱の上方で９０度向きを変えた前記内箱が前記外箱上に載置された状態で、前記外箱の上部開口縁に係止する係止突部とを備えたことを特徴とする義歯洗浄容器。
【請求項２】
係止突部の底面に凹部を形成し、前記凹部に外箱の上部開口縁がはまって係止することを特徴とする請求項１記載の義歯洗浄容器。
【請求項３】
係止突部が、内箱の外底面両側部に形成され、９０度向きを変えた前記内箱が外箱に載置された状態で、前記外箱の前側上部開口縁及び後側上部開口縁に係止することを特徴とする請求項１または２記載の義歯洗浄容器。
【請求項４】
内箱の底板に形成された複数個の透孔が、９０度向きを変えた前記内箱が外箱に載置された状態で、前記外箱の前側上部開口縁と後側上部開口縁の内側に位置することを特徴とする請求項１、２または３記載の義歯洗浄容器。
【請求項５】
外箱の内底面と内箱の外底面との間に、義歯洗浄剤設置用空間が形成されたことを特徴とする請求項１、２、３または４記載の義歯洗浄容器。
【請求項６】
内箱の上縁に外箱外に突出した把手を設けたことを特徴とする請求項１、２、３、４または５記載の義歯洗浄容器。
【発明の詳細な説明】
【０００１】
【発明の属する技術分野】
本発明は、義歯を洗浄し、ないしは義歯を収納、保管する義歯洗浄容器に関する。
【０００２】
【従来の技術】
従来の義歯洗浄容器は、円筒形状の外箱に円筒形状の内箱を出し入れ自在に収納し、内箱に義歯を入れ、外箱内の義歯洗浄剤により義歯を洗浄し、義歯の洗浄後、外箱より内箱とともに義歯を取り出し、内箱内の義歯を水道蛇口よりの水により水洗し、水洗後の義歯を、直ちに口腔内に装着するか、装着しないで、外箱内に洗浄液を残しておく場合は、内箱とともに洗面台上に載置している。なお、外箱内に洗浄液のない場合は、内箱とともに外箱内に収納し、保管している。
【０００３】
【発明が解決しようとする課題】
従来の義歯洗浄容器においては、洗浄、水洗後の義歯を直ちに口腔内に装着しないで、外箱内に洗浄液を残しておく場合、内箱とともに洗面台上に載置しているため、水洗時の水滴が洗面台上に流れ落ち、洗面台が汚染されるという問題点がある。
【０００４】
また、義歯は、タバコのやにやコーヒなどの嗜好品からの着色で汚染されることが多く、特に人工歯部分は、凹凸が激しいために着色しやすく、取り除きにくい。
【０００５】
さらに、表面に一旦石灰化が生じた義歯は、洗浄液だけでは取り除けず、義歯用ブラシを用いて機械的にこすり落とすことが必要であり、洗浄剤とブラッシングとを併用せねばならない。
【０００６】
そして、上、下の総義歯、２個以上の部分義歯の場合、いずれかの義歯を洗浄液から取り出し、義歯用ブラシで機械的にブラッシングした後、その清掃が完了した義歯を、他の義歯をブラッシングしている間、保管のため、洗面台上に直接載置した状態になり、洗面台が汚染されるという問題点がある。
【０００７】
本発明は、前記の点に留意し、水洗後の水滴が洗面台上に流れ落ちず、洗面台を汚染しなく、衛生的な義歯洗浄容器を提供することを目的とし、また、２個以上の義歯の場合、洗浄剤による洗浄後、一方の義歯を機械的にブラッシングしている間、他方の義歯を適切に保管できる義歯洗浄容器を提供することを目的とする。
【０００８】
【課題を解決するための手段】
前記目的を達成するために、本発明の義歯洗浄容器は、開閉自在の蓋を有する横長長方形状の外箱と、前記外箱に出し入れ自在に収納された義歯収納用横長長方形状の内箱と、
前記内箱の上部に形成され、前記外箱の上部開口縁に載置された載置部と、前記内箱の底板に形成された複数個の透孔と、
前記内箱の外底面に形成され、前記外箱の上方で９０度向きを変えた前記内箱が前記外箱上に載置された状態で、前記外箱の上部開口縁に係止する係止突部とを備えたものである。
【０００９】
前記のように構成された本発明の義歯洗浄容器は、外箱及び内箱が横長長方形状であり、内箱の外底面に形成された少なくとも１個の係止突部が、外箱の上方で９０度向きを変えた内箱が外箱上に載置された状態で、外箱の上部開口縁に係止するため、洗浄、水洗後の義歯を入れた内箱が滑って外箱１内にずれ落ちることがなく、内箱を外箱上に安定に載置することができ、水洗時の水滴が外箱内に流れ落ち、洗面台上に流れ落ちず、洗面台を汚染しなく、衛生的である。また、２個以上の義歯の場合、洗浄剤による洗浄後、一方の義歯を機械的にブラッシングしている間、他方の義歯を適切に保管し、洗面台を汚染しなく、衛生的である。（請求項１）
【００１０】
前記係止突部は、その下面に外箱の上部開口縁がはまって係止する凹部を形成してもよい。この場合、凹部を形成した係止突部は、２個でもよいが、１個でも外箱に載置された内箱がずれることはなく、内箱を外箱上に安定に載置することができる。（請求項２）
【００１１】
また、内箱の外底面両側部にそれぞれ係止突部を形成し、その両係止突部を外箱の前側上部開口縁及び後側上部開口縁に係止するようにするのが望ましい。
【００１２】
この場合、両係止突部が、外箱の前側、後側上部開口縁の内側または外側に位置し、内箱を外箱上にずれることなくより安定に載置することができ、内箱が外箱からずれ落ちることがない。（請求項３）
【００１３】
つぎに、内箱の底板に形成される水切り用の複数個の透孔は、９０度向きを変えた内箱が外箱に載置された状態において、外箱の前側上部開口縁と後側上部開口縁の内側に位置するようにするのがよい。この場合、水洗後の義歯からの水滴が全て外箱内に落ち、洗面台を一切汚染することがない。（請求項４）
【００１４】
また、外箱の内底面と、外箱に収納された内箱の外底面との間に、義歯洗浄剤設置用空間を形成するのがよい。この場合、洗浄剤からの発泡剤の泡が、内箱の透孔を通って義歯に接触し、洗浄を効果的に行うことができる。（請求項５）
【００１５】
さらに、内箱の上縁に、外箱の外方へ突出した把手を設けるのが好ましい。この場合、把手を持って内箱の外箱に対する出し入れ、義歯の水洗、及び内箱を外箱の上方で９０度向きを変えることが容易になる。（請求項６）
【００１６】
【発明の実施の形態】
本発明の実施の１形態を図１ないし図３を参照して説明する。それらの図において、１は合成樹脂製の横長長方形状の外箱、２は外箱１の上部開口縁、３は上部開口縁２の内側に形成された載置用段部、４は外箱１の底板、５は底板４の外底面両側に突出した前後方向の脚、６は右側上部開口縁２ａの上部に形成された把手用切欠きである。
【００１７】
７は外箱１の合成樹脂製蓋、８は後側上部開口縁２ｂと蓋７との間の継手であり、外箱１に蓋７が開閉自在であり、外箱１及び蓋７が一体成形されている。９は円筒形の歯ブラシ入れであり、外箱の左側板１ａに接続体１０により固着され、歯ブラシ入れ９の底板９ａに複数個の水切り孔９ｂが形成されている。
【００１８】
１１は合成樹脂製義歯収納用横長長方形状の内箱であり、外箱１より若干小さく、外箱１に出し入れ自在に収納されている。１２は内箱１１の上部に外方に突出して形成された載置部であり、外箱１の上部開口縁２の載置用段部３に載置されている。１３は内箱１１の右側上縁から右方へ  外箱１外に突出した把手であり、内箱１１と一体に成形され、把手用切欠き６から導出されている。
【００１９】
１４は内箱１１の外底面両側部に一体に形成された前後方向の四角柱状係止突部、１５は内箱１１の底板１１ａに形成された複数個の水切り用透孔であり、両側の係止突部１４の間に形成されている。１６は外箱１の内底面と内箱１１の外底面との間に形成された義歯洗浄剤設置用空間である。
【００２０】
そして、蓋７の開放状態で、把手１３を把持して内箱１１を持ち上げ、外箱１の上方で把手１３が手前にくるよう９０度向きを変え、図３に示すように、内箱１１を外箱１に載置する。
【００２１】
この時、内箱１１は縦長状態であり、両係止突部１４が前、後に位置し、両係止突部１４が前側上部開口縁２ｃと後側上部開口縁２ｂの載置用段部３に載置され、両係止突部１４が前、後に位置する開口縁２ｃ、２ｂにより前後の動きが規制され、内箱１１が滑って外箱１内の洗浄液中に落ち込むことがなく、外箱１上に安定に載置される。
【００２２】
そのため、義歯の水洗後、義歯を口腔内に装着するまでの間、義歯を内箱１１に入れた状態で外箱１上に載置することにより、外箱１に洗浄液が入ったままでも義歯を保管することができる。
【００２３】
さらに、この載置された状態で、複数個の透孔１５が両係止突部１４の間、即ち、外箱１の内方に位置し、水洗時の水が透孔１５から外箱１内に流れ落ち、外箱１外へ流れ出ず、洗面台を汚染することがなく、水切りを行うことができる。
【００２４】
つぎに、義歯の洗浄に際して、外箱１の内底面と内箱１１の外底面との間に形成された義歯洗浄剤設置用空間１６に錠剤や粉剤の義歯洗浄剤を入れることにより、洗浄剤からの発泡剤の泡が内箱１１の各透孔１５を通って内箱１１内の義歯に接触し、義歯の洗浄を効果的に行うことができる。
【００２５】
つぎに、図４は、係止突部１４の底面に溝状の凹部１７を形成したものであり、この凹部１７に外箱１の上部開口縁２がはまり、係止突部１４が上部開口縁２に係止する。この場合、凹部１７に開口縁２がはまっているため、係止突部１４が１個であっても内箱１１の動きが規制され、内箱１１がずれて外箱１内に落ち込むことがない。
【００２６】
なお、係止突部１４は、前後方向の四角柱状のもののほか、内箱１１の外底面両側部それぞれの前部と後部の４箇所に単なる突部として形成してもよい。
【００２７】
また、内箱１１の載置部１２は、上部開口縁２内側の載置用段部３に載置するもののほか、上部開口縁２の上端に直接載置するようにしてもよく、この場合、継手８が若干上下に大きくなり、かつ、右側上部開口縁２ａの把手用切欠き６を要しない。
【００２８】
【発明の効果】
本発明は、以上説明したように構成されているので、以下に記載されるような効果を奏する。
外箱１及び内箱１１が横長長方形状であり、内箱１１の外底面に形成された少なくとも１個の係止突部１４が、外箱１の上方で９０度向きを変えた内箱１１が外箱１上に載置された状態で、外箱１の上部開口縁２に係止するため、洗浄、水洗後の義歯を入れた内箱１１を、外箱１上に安定に載置することができ、水洗時の水滴が外箱１内に流れ落ち、洗面台上に流れ落ちず、洗面台を汚染しなく、衛生的である。また、２個以上の義歯の場合、洗浄剤による洗浄後、一方の義歯を機械的にブラッシングしている間、他方の義歯を適切に保管し、洗面台を汚染しなく、衛生的である。
【００２９】
そして、係止突部１４は、その下面に外箱１の上部開口縁２がはまって係止する凹部１７を形成してもよく、この場合、凹部１７を形成した係止突部１１は、２個でもよいが、１個でも外箱１に載置された内箱１１のずれを防ぐことができる。
【００３０】
また、内箱１１の外底面両側部にそれぞれ係止突部１４を形成し、その両係止突部１４を外箱１の前側上部開口縁２ｃ及び後側上部開口縁２ｂに係止するようにするのが望ましく、この場合、両係止突部１４が、外箱１の前側、後側上部開口縁２ｃ、２ｂの内側または外側に位置し、内箱１１を外箱１上にずれることなくより安定に載置することができ、内箱１１の外箱１からのずれ落ちを防ぐことができる。
【００３１】
つぎに、内箱１１の底板１１ａに形成される水切り用の複数個の透孔１５は、９０度向きを変えた内箱１１が外箱１に載置された状態において、外箱１の前側上部開口縁２ｃと後側上部開口縁２ｂの内側に位置するようにするのがよく、この場合、水洗後の義歯からの水滴が全て外箱１内に落ち、洗面台を一切汚染することがない。
【００３２】
また、外箱１の内底面と、外箱１に収納された内箱１１の外底面との間に、義歯洗浄剤設置用空間１６を形成するのがよく、この場合、洗浄剤からの発泡剤の泡が、内箱１１の透孔１５を通って義歯に接触し、洗浄を効果的に行うことができる。
【００３３】
さらに、内箱１１の上縁に、外箱１の外方へ突出した把手１３を設けるのが好ましく、この場合、把手１３を持って内箱１１の外箱１に対する出し入れ、義歯の水洗、及び内箱１１を外箱１の上方で９０度向きを変えることが容易になる。
【図面の簡単な説明】
【図１】本発明の実施の１形態の切断正面図である。
【図２】図１の蓋を開いた状態の平面図である。
【図３】図１の内箱を外箱上に載置した状態の切断右側面図である。
【図４】図３の一部の他の例の断面図である。
【符号の説明】
１  外箱
２  上部開口縁
２ｂ  後側上部開口縁
２ｃ  前側上部開口縁
７  蓋
１１  内箱
１１ａ  底板
１２  載置部
１３  把手
１４  係止突部
１５  透孔
１６  義歯洗浄剤設置用空間
【図１】
0003621914.tif 000002
【図２】
0003621914.tif 000003
【図３】
0003621914.tif 000004
【図４】
0003621914.tif 000005